(57)【要約】【課題】  ＳＦＮの環境下において、各々の送信局からの電波の電界強度を瞬時に正確に測定することができる電界強度算出装置を提供する。【解決手段】  電界強度算出装置１は、単一周波数ネットワークにおいて、アンテナによって測定対象となる送信局（中継局）に対応する向きにおいて受信された、この送信局及び他の送信局から送信された複数の信号から構成されるＯＦＤＭ信号の電界強度を測定する受信電界強度測定手段１７と、各々の送信局の位置の情報に基づいて、ＯＦＤＭ信号において測定対象となる送信局から送信された信号と他の送信局から送信された信号との強度の比であるＤＵ比を測定するＤＵ比測定手段（遅延プロファイル測定手段）１９と、測定された電界強度と、ＤＵ比とから、測定対象となる送信局から送信された信号の電界強度を算出する送信局電界強度算出手段（中継局電界強度算出手段）２１とを備えることを特徴とする。【選択図】      図１
2007006112.tif 000002
【特許請求の範囲】
【請求項１】
単一周波数ネットワークにおいて、アンテナによって受信された、測定対象となる送信局である測定対象送信局及び他の送信局から送信された複数の信号から構成されるＯＦＤＭ信号に基づいて、当該測定対象送信局から送信された信号の電界強度である送信局電界強度を算出する電界強度算出装置であって、
前記アンテナによって前記測定対象送信局に対応する向きにおいて受信された前記ＯＦＤＭ信号の電界強度を測定する受信電界強度測定手段と、
前記測定対象送信局及び前記他の送信局の位置の情報に基づいて、前記ＯＦＤＭ信号において前記測定対象送信局から送信された信号と前記他の送信局から送信された信号との強度の比であるＤＵ比を測定するＤＵ比測定手段と、
前記受信電界強度測定手段によって測定された電界強度Ｅｍと、前記ＤＵ比測定手段によって測定されたＤＵ比（Ｄ／Ｕ）とから、前記送信局電界強度Ｅを、
【数１】
2007006112.tif 000007
前記（１）式によって算出する送信局電界強度算出手段と、
を備えることを特徴とする電界強度算出装置。
【請求項２】
単一周波数ネットワークにおいて、アンテナによって受信された、測定対象となる送信局である測定対象送信局及び他の送信局から送信された複数の信号から構成されるＯＦＤＭ信号に基づいて、当該測定対象送信局から送信された信号の電界強度である送信局電界強度を算出する電界強度算出方法であって、
前記アンテナによって前記測定対象送信局に対応する向きにおいて受信された前記ＯＦＤＭ信号の電界強度を測定するとともに、前記測定対象送信局及び前記他の送信局の位置の情報に基づいて、前記ＯＦＤＭ信号において前記測定対象送信局から送信された信号と前記他の送信局から送信された信号との強度の比であるＤＵ比を測定する電界強度・ＤＵ比測定ステップと、
前記電界強度・ＤＵ比測定ステップにおいて測定された電界強度Ｅｍと、ＤＵ比（Ｄ／Ｕ）とから、前記送信局電界強度Ｅを、
【数２】
2007006112.tif 000008
前記（１）式によって算出する送信局電界強度算出ステップと、
を含むことを特徴とする電界強度算出方法。
【請求項３】
単一周波数ネットワークにおいて、アンテナによって受信された、測定対象となる送信局である測定対象送信局及び他の送信局から送信された複数の信号から構成されるＯＦＤＭ信号に基づいて、当該測定対象送信局から送信された信号の電界強度である送信局電界強度を算出するためにコンピュータを、
前記アンテナによって前記測定対象送信局に対応する向きにおいて受信された前記ＯＦＤＭ信号の電界強度を測定する受信電界強度測定手段、
前記測定対象送信局及び前記他の送信局の位置の情報に基づいて、前記ＯＦＤＭ信号において前記測定対象送信局から送信された信号と前記他の送信局から送信された信号との強度の比であるＤＵ比を測定するＤＵ比測定手段、
前記受信電界強度測定手段によって測定された電界強度Ｅｍと、前記ＤＵ比測定手段によって測定されたＤＵ比（Ｄ／Ｕ）とから、前記送信局電界強度Ｅを、
【数３】
2007006112.tif 000009
前記（１）式によって算出する送信局電界強度算出手段として機能させることを特徴とする電界強度算出プログラム。
【発明の詳細な説明】
【技術分野】
【０００１】
本発明は、単一周波数ネットワーク（ＳＦＮ；Ｓｉｎｇｌｅ  Ｆｒｅｑｕｅｎｃｙ  Ｎｅｔｗｏｒｋ）が組み込まれている地域における電波の測定技術・信号処理技術に係り、特に、各中継局から送信された電波の電界強度を算出する電界強度算出装置、電界強度算出方法及び電界強度算出プログラムに関する。
【背景技術】
【０００２】
従来、直交波周波数分割多重（ＯＦＤＭ；Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式による放送において、ＳＦＮの環境下で送信される放送波（ＯＦＤＭ波）をＯＦＤＭ復調器で復調し、コンスタレーション（信号配置図）を観測して、変調誤差比（ＭＥＲ；Ｍｏｄｕｌａｔｉｏｎ  Ｅｒｒｏｒ  Ｒａｔｉｏ）を測定するとともに、当該ＯＦＤＭ波に挿入されている、振幅と位相とが既知であるスキャッタードパイロット信号（ＳＰ信号）を抽出して、この抽出したＳＰ信号を使用して、ＯＦＤＭ波の直接波と、当該直接波がマルチパスによって遅延した遅延波（反射波、散乱波、回り込み波）との強度の比を示すＤＵ比（Ｄ／Ｕ；Ｄｅｓｉｒｅｄ  ｔｏ  Ｕｎｄｅｓｉｒｅｄ  ｒａｔｉｏ）と、遅延波の遅延時間とを含む遅延プロファイルを測定する方法（以下、ＳＰ法という）が提案されている。
【０００３】
また、ＳＦＮの環境下において送信されたＯＦＤＭ波をスペクトルアナライザで観測し、当該ＯＦＤＭ波の振幅周波数特性をＦＦＴ（Ｆａｓｔ  Ｆｏｕｒｉｅｒ  Ｔｒａｎｓｆｏｒｍ；高速フーリエ変換）で分析する方法が開示されている（特許文献１参照）。
【０００４】
そして、従来、ＳＦＮの環境下において、各中継局から送信される電波の電界強度を算出する場合には、まず、各中継局にアンテナを向けて、受信した電波の電界強度と遅延プロファイルとを測定器で測定し、その後、測定したデータを分析して算出していた。
【特許文献１】特開２００１−２２３６６６号公報（段落番号００２１〜００２４、図１、図２）
【発明の開示】
【発明が解決しようとする課題】
【０００５】
しかしながら、ＳＦＮの環境下では、各送信局から送信される電波は同一チャンネルとなるので、測定器によって、複数の送信局からの電波が合成された電波が観測される。そして、この合成された電波から各々の送信局の電界強度を分析する手法がなかったため、各々の送信局からの電波の電界強度を正確に測定することはできなかった。
【０００６】
本発明は、前記従来技術の問題を解決するために成されたもので、ＳＦＮの環境下において、各々の送信局からの電波の電界強度を瞬時に正確に測定することができる電界強度算出装置、電界強度算出方法及び電界強度算出プログラムを提供することを目的とする。
【課題を解決するための手段】
【０００７】
前記課題を解決するため、請求項１に記載の電界強度算出装置は、単一周波数ネットワークにおいて、アンテナによって受信された、測定対象となる送信局である測定対象送信局及び他の送信局から送信された複数の信号から構成されるＯＦＤＭ信号に基づいて、当該測定対象送信局から送信された信号の電界強度である送信局電界強度を算出する電界強度算出装置であって、受信電界強度測定手段と、ＤＵ比測定手段と、送信局電界強度算出手段とを備える構成とした。
【０００８】
かかる構成によれば、電界強度算出装置は、受信電界強度測定手段によって、アンテナで測定対象送信局に対応する向きにおいて受信されたＯＦＤＭ信号の電界強度を測定し、ＤＵ比測定手段によって、測定対象送信局及び他の送信局の位置の情報に基づいて、ＯＦＤＭ信号において測定対象送信局から送信された信号と他の送信局から送信された信号との強度の比であるＤＵ比を測定する。また、電界強度算出装置は、送信局電界強度算出手段によって、受信電界強度測定手段で測定された電界強度Ｅｍと、ＤＵ比測定手段で測定されたＤＵ比（Ｄ／Ｕ）とから、送信局電界強度Ｅを、以下の（１）式によって算出する。
【０００９】
【数４】
2007006112.tif 000003
【００１０】
これによって、電界強度算出装置は、測定対象となる送信局に向けたアンテナによって受信された電波から、電界強度とＤＵ比とを測定し、この電界強度とＤＵ比とに基づいて当該送信局からの電波の送信局電界強度を算出することができる。
【００１１】
また、請求項２に記載の電界強度算出方法は、単一周波数ネットワークにおいて、アンテナによって受信された、測定対象となる送信局である測定対象送信局及び他の送信局から送信された複数の信号から構成されるＯＦＤＭ信号に基づいて、当該測定対象送信局から送信された信号の電界強度である送信局電界強度を算出する電界強度算出方法であって、電界強度・ＤＵ比測定ステップと、送信局電界強度算出ステップとを含むことを特徴とする。
【００１２】
この方法によれば、電界強度・ＤＵ比測定ステップにおいて、アンテナによって測定対象送信局に対応する向きにおいて受信されたＯＦＤＭ信号の電界強度を測定するとともに、測定対象送信局及び他の送信局の位置の情報に基づいて、ＯＦＤＭ信号において測定対象送信局から送信された信号と他の送信局から送信された信号との強度の比であるＤＵ比を測定し、送信局電界強度算出ステップにおいて、電界強度・ＤＵ比測定ステップで測定された電界強度ＥｍとＤＵ比（Ｄ／Ｕ）とから、送信局電界強度Ｅを以下の（１）式によって算出する。
【００１３】
【数５】
2007006112.tif 000004
【００１４】
これによって、測定対象となる送信局に向けたアンテナによって受信された電波から、電界強度とＤＵ比とを測定し、この電界強度とＤＵ比とに基づいて当該送信局からの電波の送信局電界強度を算出することができる。
【００１５】
また、請求項３に記載の電界強度算出プログラムは、単一周波数ネットワークにおいて、アンテナによって受信された、測定対象となる送信局である測定対象送信局及び他の送信局から送信された複数の信号から構成されるＯＦＤＭ信号に基づいて、当該測定対象送信局から送信された信号の電界強度である送信局電界強度を算出するためにコンピュータを、受信電界強度測定手段、ＤＵ比測定手段、送信局電界強度算出手段として機能させることとした。
【００１６】
かかる構成によれば、電界強度算出プログラムは、受信電界強度測定手段によって、アンテナで測定対象送信局に対応する向きにおいて受信されたＯＦＤＭ信号の電界強度を測定し、ＤＵ比測定手段によって、測定対象送信局及び他の送信局の位置の情報に基づいて、ＯＦＤＭ信号において測定対象送信局から送信された信号と他の送信局から送信された信号との強度の比であるＤＵ比を測定する。また、電界強度算出装置は、送信局電界強度算出手段によって、受信電界強度測定手段で測定された電界強度Ｅｍと、ＤＵ比測定手段で測定されたＤＵ比（Ｄ／Ｕ）とから、送信局電界強度Ｅを、以下の（１）式によって算出する。
【００１７】
【数６】
2007006112.tif 000005
【００１８】
これによって、電界強度算出プログラムは、測定対象となる送信局に向けたアンテナによって受信された電波から、電界強度とＤＵ比とを測定し、この電界強度とＤＵ比とに基づいて当該送信局からの電波の送信局電界強度を算出することができる。
【発明の効果】
【００１９】
本発明に係る電界強度算出装置、電界強度算出方法及び電界強度算出プログラムでは、以下のような優れた効果を奏する。請求項１、請求項２又は請求項３に記載の発明によれば、各送信局からの電波の送信局電界強度を瞬時に算出することができるとともに、アンテナの指向性の解析を行わないため、アンテナの設定の誤差の影響が少なく、高い精度で各送信局からの電波の送信局電界強度を算出することができる。
【発明を実施するための最良の形態】
【００２０】
以下、本発明の実施の形態について図面を参照して説明する。
（電界強度算出装置の構成）
まず、図１を参照して、電界強度算出装置１の構成について説明する。図１は、本発明における電界強度算出装置の構成を示したブロック図である。
【００２１】
電界強度算出装置１は、図示しないアンテナによって受信された放送波（ＯＦＤＭ信号）を入力して、当該ＯＦＤＭ信号に含まれる複数の中継局（送信局）から送信された各々の信号の電界強度である中継局電界強度（送信局電界強度）を算出するものである。電界強度算出装置１は、バンドパスフィルタ１０と、高周波増幅手段１１と、選局手段１２と、中間周波変換手段１３と、中間周波増幅手段１４と、バンドパスフィルタ１５と、検波手段１６と、受信電界強度測定手段１７と、Ａ／Ｄ変換手段１８と、遅延プロファイル測定手段１９と、測定値記憶手段２０と、中継局電界強度算出手段２１と、測定チャンネル入力手段２２と、送信諸元記憶手段２３と、測定中継局選択手段２４と、測定地点情報入力手段２５と、映像表示手段２６とを備える。
【００２２】
ここで、図２を参照して、ここで受信されるＯＦＤＭ信号について説明する。図２は、ＳＦＮの環境下において、２つの中継局から送信される電波を受信したアンテナによって得られ、本発明における電界強度算出装置に入力されるＯＦＤＭ信号を説明するための説明図であり、（ａ）は、ＳＦＮ環境下において、アンテナによって受信される２つの中継局からの電波を説明するための説明図、（ｂ）は、アンテナによって受信されたＯＦＤＭ信号のスペクトルと、当該ＯＦＤＭ信号に含まれる各々の中継局から送信される電波のスペクトルを模式的に示す模式図である。
【００２３】
図２（ａ）に示すように、ＳＦＮの環境下において、中継局ＩAと中継局ＩBとから送信された電波が、アンテナＡによって受信される。そのため、図２（ｂ）に示すように、ここで受信されるＯＦＤＭ信号ＷOは、中継局ＩAから送信される電波ＷAと中継局ＩBから送信される電波ＷBとが合成されたＯＦＤＭ信号となる。
【００２４】
図１に戻って説明を続ける。バンドパスフィルタ１０は、入力された信号のうち、ＯＦＤＭ信号［ＲＦ（Ｒａｄｉｏ  Ｆｒｅｑｕｅｎｃｙ）信号］の周波数成分のみを通過させるフィルタである。このバンドパスフィルタ１０を通過したＯＦＤＭ信号は、高周波増幅手段１１に出力される。
【００２５】
高周波増幅手段１１は、バンドパスフィルタ１０から入力されたＯＦＤＭ信号の電圧を増幅するものである。ここで増幅されたＯＦＤＭ信号は、選局手段１２に出力される。また、当該高周波増幅手段１１の利得値は、受信電界強度測定手段１７に出力される。
【００２６】
選局手段１２は、測定チャンネル入力手段２２から入力された物理チャンネルの情報に基づいて、当該物理チャンネルの信号を取り出すものである。ここで取り出された信号は中間周波変換手段１３に出力される。なお、選局手段１２は、例えば、測定チャンネル入力手段２２から入力された物理チャンネルの情報に基づいて、この物理チャンネルの信号を増幅させるアンプと、他の物理チャンネルの信号を取り除くフィルタとによって構成することができる。
【００２７】
中間周波変換手段１３は、選局手段１２から入力された信号（ＲＦ信号）を周波数変換し、中間周波数の信号［ＩＦ（Ｉｎｔｅｒｍｅｄｉａｔｅ  Ｆｒｅｑｕｅｎｃｙ）信号］にするものである。ここで変換された中間周波数の信号は、中間周波増幅手段１４に出力される。
【００２８】
中間周波増幅手段１４は、中間周波変換手段１３から入力された信号を増幅するものである。ここで増幅された信号は、バンドパスフィルタ１５に出力される。また、当該中間周波増幅手段１４の利得値は、受信電界強度測定手段１７に出力される。
【００２９】
バンドパスフィルタ１５は、中間周波増幅手段１４から入力された信号のうち中間周波数の成分のみを通過させるフィルタである。このバンドパスフィルタ１５を通過した信号は、検波手段１６と、Ａ／Ｄ変換手段１８とに出力される。
【００３０】
検波手段１６は、バンドパスフィルタ１５から入力された信号の電力値を検波するものである。ここで生成された、電力値を示す信号は、受信電界強度測定手段１７に出力される。
【００３１】
受信電界強度測定手段１７は、高周波増幅手段１１の利得値と、中間周波増幅手段１４の利得値と、検波手段１６によって検波された電力値とに基づいて、入力されたＯＦＤＭ信号の電界強度を測定するものである。ここで、高周波増幅手段１１の利得値をＧh［ｄＢ］、中間周波増幅手段１４の利得値をＧm［ｄＢ］、検波手段１６によって検波された電力値をＰ［ｄＢ］とすると、電界強度はＰ・Ｇm・Ｇhとなる。ここで測定された電界強度は、測定値記憶手段２０に記憶され、映像表示手段２６に出力される。
【００３２】
Ａ／Ｄ変換手段１８は、バンドパスフィルタ１５から入力された信号をデジタル化した信号に変換するものである。ここでデジタル化された信号は、遅延プロファイル測定手段１９に入力される。
【００３３】
遅延プロファイル測定手段（ＤＵ比測定手段）１９は、Ａ／Ｄ変換手段１８から入力された信号と、測定中継局選択手段２４から入力された複数の中継局の緯度と経度の情報及び遅延調整量と、測定地点情報入力手段２５から入力された測定地点の緯度と経度（アンテナの位置）の情報とに基づいて遅延プロファイルを測定し、複数の中継局の各々から送信された信号の強度の比であるＤＵ比を測定するものである。ここで、測定されたＤＵ比は、測定値記憶手段２０に記憶され、映像表示手段２６に出力される。なお、遅延調整量とは、遅延波に遅延時間がガードインターバル内になるようにするために各中継局において設定された、電波を送信するタイミングを調整する時間を示すものである。
【００３４】
ここで、図３を参照（適宜図１参照）して、遅延プロファイル測定手段１９が２つの中継局からの信号のＤＵ比を測定する方法について具体例を用いて説明する。図３は、遅延プロファイル測定手段が２つの中継局からの信号のＤＵ比を測定する方法を説明するための説明図であり、（ａ）は、２つの中継局と、アンテナとの配置を模式的に示す模式図、（ｂ）は、アンテナによって受信される信号の遅延プロファイルの例を示すグラフである。
【００３５】
まず、遅延プロファイル測定手段１９は、２つの中継局の緯度と経度の情報及び遅延調整量と、測定地点情報入力手段２５から入力された測定地点（アンテナＡの位置）の緯度と経度の情報とに基づいて、各々の中継局からの信号の遅延時間を算出する。例えば、図３（ａ）に示すように、中継局ＩAから当該中継局ＩAに向けて設置されたアンテナＡまでの距離が１１．７ｋｍ、中継局ＩBからアンテナＡまでの距離が１３．２ｋｍで、送信側で遅延調整を行っていない場合、２つの中継局ＩA、ＩBのアンテナＡまでの距離の差は１．５ｋｍとなり、遅延プロファイル測定手段１９は、この距離の差を電波の伝搬速度（０．３ｋｍ／μｓｅｃ）で割った値（５μｓｅｃ）を、中継局ＩBからの信号の中継局ＩAからの信号に対する遅延時間として算出する。
【００３６】
また、例えば、一方の中継局（図示せず）から測定地点までの距離が１０ｋｍ、もう一方の中継局（図示せず）から測定地点までの距離が１３ｋｍであり、この中継局では＋３０μｓｅｃの遅延調整量を設定している場合には、この中継局から送信される電波の遅延時間は、４０μｓｅｃ｛（１３［ｋｍ］−１０［ｋｍ］）／０．３［ｋｍ／μｓｅｃ］＋３０［μｓｅｃ］｝となる。
【００３７】
続いて、遅延プロファイル測定手段１９は、Ａ／Ｄ変換手段１８から入力された信号に基づいて、遅延プロファイルを測定し、ＤＵ比を測定する。ここで、遅延プロファイル測定手段１９は、Ａ／Ｄ変換手段１８から入力された信号に含まれる、ＳＰ信号を用いて遅延プロファイルを測定して、ＤＵ比を測定することができる。例えば、図３（ｂ）に示すように、遅延プロファイル測定手段１９は、中継局ＩAからの信号に含まれるＳＰ信号のピークＰAを検出して、当該ピークＰAの強度に対する、Ａ／Ｄ変換手段１８から入力された信号の強度の比を測定して、この強度の比と、当該ＳＰ信号が入力された時間からの遅延時間との関係を示す遅延プロファイルを生成する。そして、遅延プロファイル測定手段１９は、算出された遅延時間分だけ、ピークＰAを受信した時間から遅延した時間におけるピークＰBを中継局ＩBからのＳＰ信号のピークとし、このＳＰ信号の強度の比をＤＵ比として測定する。図３（ｂ）では、遅延時間が５μｓｅｃにおけるピークを中継局ＩBからのＳＰ信号とし、このときの強度の比（１１［ｄＢ］）がＤＵ比として測定される。
【００３８】
図１に戻って説明を続ける。測定値記憶手段２０は、測定チャンネル入力手段２２から入力された物理チャンネルの信号の電界強度とＤＵ比とを記憶するもので、半導体メモリ、ハードディスク等の一般的な記憶手段である。ここで記憶された電界強度とＤＵ比は、後記する中継局電界強度算出手段２１によって測定対象となる中継局の中継局電界強度を算出する際に読み出される。
【００３９】
中継局電界強度算出手段（送信局電界強度算出手段）２１は、測定値記憶手段２０に記憶された電界強度とＤＵ比とを読み出して、測定対象となる中継局の中継局電界強度を算出するものである。ここで算出された中継局電界強度は、映像表示手段２６に出力される。
【００４０】
ここで、図４を参照（適宜図１参照）して、中継局電界強度算出手段２１によって中継局電界強度を算出する方法について説明する。図４は、本発明における電界強度算出装置によって測定された２つの中継局からの信号の電界強度と、アンテナによって受信される信号の電界強度及びＤＵ比と、アンテナの向きとを模式的に示す模式図であり、（ａ）は、アンテナを中継局ＩAに向けた状態を示す模式図、（ｂ）は、アンテナを中継局ＩBに向けた状態を示す模式図である。
【００４１】
図４（ａ）に示すように、アンテナＡによって、中継局ＩAから電界強度（中継局電界強度）Ｅａの信号と、中継局ＩBから電界強度（中継局電界強度）Ｅｂの信号とが受信される場合に、アンテナＡが中継局ＩAの方向に向けられ、アンテナＡの向きに対して角度θの方向に中継局ＩBがあるとする。そして、当該アンテナＡによって受信されたＯＦＤＭ信号の電界強度がＥｍａ、ＤＵ比が（Ｄ／Ｕa）であったとする。また、図４（ｂ）に示すように、アンテナＡを中継局ＩBに向けた状態で当該アンテナＡによって受信されたＯＦＤＭ信号の電界強度がＥｍｂ、ＤＵ比が（Ｄ／Ｕb）であったとする。
【００４２】
ここで、中継局ＩAの方向にアンテナＡを向けた場合における、中継局ＩBの方向に対するアンテナＡの指向性関数をＤ（θ）ant1とし、中継局ＩBの方向にアンテナＡを向けた場合における、中継局ＩAの方向に対するアンテナＡの指向性関数をＤ（θ）ant2とすると、以下の式（２）〜（５）の関係が成り立つ。
Ｅｍａ2＝Ｅａ2＋｛Ｅｂ・Ｄ（θ）ant1｝2        …（２）
Ｄ／Ｕa＝Ｅａ／（Ｅｂ・Ｄ（θ）ant1）          …（３）
Ｅｍｂ2＝｛Ｅａ・Ｄ（θ）ant2｝2＋Ｅｂ2        …（４）
Ｄ／Ｕb＝Ｅｂ／（Ｅａ・Ｄ（θ）ant2）          …（５）
【００４３】
そして、式（２）〜（５）を中継局電界強度Ｅａ及び中継局電界強度Ｅｂについてまとめると、以下の式（６）、（７）が導かれる。
【００４４】
【数７】
2007006112.tif 000006
【００４５】
そのため、中継局電界強度算出手段２１は、中継局ＩAの中継局電界強度Ｅａを算出する場合には、測定値記憶手段２０に記憶された電界強度ＥｍａとＤＵ比（Ｄ／Ｕa）とを読み出す。そして、中継局電界強度算出手段２１は、中継局電界強度Ｅａを式（６）に基づいて算出することができる。同様に、中継局電界強度算出手段２１は、中継局ＩBの中継局電界強度Ｅｂを算出する場合には、測定値記憶手段２０に記憶された電界強度ＥｍｂとＤＵ比（Ｄ／Ｕb）とを読み出す。そして、中継局電界強度算出手段２１は、中継局電界強度Ｅｂを式（７）に基づいて算出することができる。
【００４６】
なお、電界強度Ｅｍａ及び電界強度Ｅｍｂを測定し、アンテナＡの指向性によって前記の式（２）、（４）から中継局電界強度を算出することも可能であるが、測定時においてアンテナの方向を正確に設置することが困難であるため、角度θの変化により指向性が大きく変化する領域（図４ではθ＝９０°付近）においては、アンテナＡの方向の調整ずれが算出結果に大きく影響する。更に、アンテナＡの指向性によると、２つの中継局ＩA、ＩBが同一の方向にある場合には、中継局電界強度を算出することができない。
【００４７】
一方、中継局電界強度算出手段２１は、測定された電界強度とＤＵ比とに基づいて中継局電界強度を算出するため、アンテナＡの設定の誤差の影響が少なく、高い精度で中継局電界強度を算出することができるとともに、中継局が同一方向にある場合でも遅延プロファイルの測定は可能であるため中継局電界強度を算出することができる。
【００４８】
図１に戻って説明を続ける。測定チャンネル入力手段２２は、測定対象とする物理チャンネルの情報を外部から入力するものである。ここで入力された物理チャンネルの情報は、選局手段１２に出力される。
【００４９】
送信諸元記憶手段２３は、様々な中継局の緯度と経度の情報及び遅延調整量を記憶するもので、半導体メモリ、ハードディスク等の一般的な記憶手段である。ここで記憶された緯度と経度の情報及び遅延調整量は、後記する測定中継局選択手段２４によって読み出される。
【００５０】
測定中継局選択手段２４は、外部からの指令に基づいて、当該指令によって示される、測定対象とする中継局の緯度と経度の情報及び遅延調整量を送信諸元記憶手段２３から読み出すものである。ここで読み出された中継局の緯度と経度の情報及び遅延調整量は、遅延プロファイル測定手段１９に出力される。
【００５１】
測定地点情報入力手段２５は、外部から、測定地点（アンテナの位置）の緯度と経度の情報を入力するものである。ここで入力された測定地点の緯度と経度の情報は、遅延プロファイル測定手段１９に出力される。
【００５２】
映像表示手段２６は、ユーザからの指示を受け付ける画面の映像を生成するとともに、受信電界強度測定手段１７から入力された電界強度の測定結果と、遅延プロファイル測定手段１９から入力されたＤＵ比の測定結果と、中継局電界強度算出手段２１から入力された中継局電界強度の算出結果とを表示する画面の映像を生成し、図示しない表示装置に出力するものである。
【００５３】
以上のようにして、電界強度算出装置１は、電界強度の測定対象となる中継局の方向に向けたアンテナによって受信した信号に基づいて、当該中継局からの信号の電界強度である中継局電界強度を算出することができる。そして、電界強度算出装置１は、アンテナの設定の誤差の影響が少なく、高い精度で中継局電界強度を算出することができる。
【００５４】
なお、電界強度算出装置１は、コンピュータにおいて各手段を各機能プログラムとして実現することも可能であり、各機能プログラムを結合して、電界強度算出プログラムとして動作させることも可能である。
【００５５】
［電界強度算出装置の画面例］
ここで、図５を参照（適宜図１参照）して、中継局電界強度の算出に必要となる情報を登録し、算出結果を表示するための画面例について説明する。図５は、電界強度算出装置によってユーザに提示される、中継局電界強度の算出に必要となる情報を登録して算出結果を表示するための画面の一例を示す模式図である。
【００５６】
図５に示すように、画面Ｗは、操作ボタン（ｂ１〜ｂ８）と、地図表示領域Ｒ１と、中継局情報表示領域Ｒ２と、測定結果表示領域Ｒ３とで主に構成されている。操作ボタン（ｂ１〜ｂ８）と、地図表示領域Ｒ１と、中継局情報表示領域Ｒ２と、測定結果表示領域Ｒ３とは、映像表示手段２６によって表示される。
【００５７】
電界強度算出装置１は、映像表示手段２６によって、測定地点緯度経度登録ボタンｂ１と、中継局緯度経度登録ボタンｂ２と、測定チャンネル中継局方向選択ボタンｂ３と、測定ボタンｂ４と、測定中止ボタンｂ５と、測定結果表示ボタンｂ６と、中継局電界強度算出ボタンｂ７と、電源ボタンｂ８とを表示させる。ここで、測定地点緯度経度登録ボタンｂ１は、測定地点情報入力手段２５に測定地点の緯度と経度の情報を入力するための画面を表示させる指令を入力するための操作ボタン、中継局緯度経度登録ボタンｂ２は、送信諸元記憶手段２３に記憶させる中継局の緯度と経度の情報を入力するための画面を表示させる指令を入力するための操作ボタン、測定チャンネル中継局方向選択ボタンｂ３は、測定対象となる中継局を選択し、測定対象とする物理チャンネルの情報を入力するための画面を表示させる指令を入力するための操作ボタンである。
【００５８】
また、測定ボタンｂ４は、測定開始の指令を入力するための操作ボタン、測定中止ボタンｂ５は、測定中止の指令を入力するための操作ボタン、測定結果表示ボタンｂ６は、電界強度とＤＵ比の測定結果を表示させる指令を入力するための操作ボタン、中継局電界強度算出ボタンｂ７は、中継局電界強度の算出開始の指令を入力するための操作ボタン、電源ボタンｂ８は、表示画面を終了させる指令を入力するための操作ボタンである。
【００５９】
地図表示領域Ｒ１は、測定対象となる中継局付近の地図を表示する領域である。また、中継局情報表示領域Ｒ２は、測定対象となる中継局の情報を表示する領域である。更に、測定結果表示領域Ｒ３は、受信電界強度測定手段１７によって測定された電界強度の測定結果と、遅延プロファイル測定手段１９によって測定されたＤＵ比の測定結果と、中継局電界強度算出手段２１によって算出された中継局電界強度の算出結果とを表示する領域である。これによって、ユーザは、電界強度の測定結果と、ＤＵ比の測定結果と、中継局電界強度の算出結果とを確認でき、操作ボタン（ｂ１〜ｂ８）をマウス（図示せず）等を用いてクリックすることで、当該操作ボタン（ｂ１〜ｂ８）に対応する指令を入力して、実行させることができる。
【００６０】
［電界強度算出装置の動作］
次に、図６を参照（適宜図１参照）して、本発明における電界強度算出装置１が各中継局からの信号の中継局電界強度を算出する動作について説明する。図６は、本発明における電界強度算出装置が、各中継局からの信号の中継局電界強度を算出する動作を示したフローチャートである。
【００６１】
まず、電界強度算出装置１は、測定地点情報入力手段２５によって、外部から測定地点の緯度と経度の情報を入力する（ステップＳ１１）。続いて、電界強度算出装置１は、測定中継局選択手段２４によって、外部から測定対象とする中継局を示す情報を入力する（ステップＳ１２）。
【００６２】
次に、電界強度算出装置１は、測定チャンネル入力手段２２によって、外部から測定対象とする物理チャンネルの情報を入力する（ステップＳ１３）。そして、電界強度算出装置１は、バンドパスフィルタ１０から、ＯＦＤＭ信号を入力する（ステップＳ１４）。ここで入力されるＯＦＤＭ信号は、ステップＳ１２において入力された測定対象となる中継局の方向に向けて設置されたアンテナによって受信された信号である。
【００６３】
続いて、電界強度算出装置１は、ステップＳ１４において入力されたＯＦＤＭ信号の電界強度を測定するとともに、遅延プロファイルを測定しＤＵ比を求める（ステップＳ１５；電界強度・ＤＵ比測定ステップ）。
【００６４】
ここで、電界強度算出装置１は、まず、バンドパスフィルタ１０によって、ステップＳ１４において入力されたＯＦＤＭ信号（ＲＦ信号）から、当該ＯＦＤＭ信号の周波数成分以外の信号を除去し、次いで、高周波増幅手段１１によって、このＯＦＤＭ信号の電圧を増幅する。そして、電界強度算出装置１は、選局手段１２によって、ステップＳ１３において入力された測定対象とする物理チャンネルの情報に基づいて、この信号から当該物理チャンネルの信号を取り出し、中間周波変換手段１３によって、周波数変換して中間周波数の信号（ＩＦ信号）を生成する。
【００６５】
続いて、電界強度算出装置１は、中間周波増幅手段１４によって、ＩＦ信号を増幅し、バンドパスフィルタ１５によって、中間周波数の成分以外の信号を除去する。そして、電界強度算出装置１は、検波手段１６によって、バンドパスフィルタ１５から入力された信号の電力値を検波し、受信電界強度測定手段１７によって、検波手段１６によって検波された信号の電力値に、高周波増幅手段１１の利得値と中間周波増幅手段１４の利得値とを掛け合わせて、ＯＦＤＭ信号の電界強度を測定する。
【００６６】
更に、電界強度算出装置１は、Ａ／Ｄ変換手段１８によって、バンドパスフィルタ１５から入力された信号をデジタル化した信号に変換し、測定中継局選択手段２４によって、ステップＳ１２において入力された情報によって示される測定対象とする中継局の緯度と経度の情報と遅延調整量とを送信諸元記憶手段２３から読み出す。そして、遅延プロファイル測定手段１９によって、Ａ／Ｄ変換手段１８によってデジタル化された信号から遅延プロファイルを測定し、更に、測定対象とする中継局の緯度と経度の情報と遅延調整量と、ステップＳ１１において入力された測定地点の緯度と経度の情報とに基づいて測定対象となる中継局の信号に対する他の中継局の信号の遅延時間を算出して、遅延プロファイルから、複数の中継局の各々から送信された信号の強度の比であるＤＵ比を測定する。以上によって、電界強度算出装置１は、電界強度とＤＵ比とを測定することができる。なお、このとき、電界強度算出装置１は、映像表示手段２６を介して、外部に接続された図示しない表示装置に測定結果を出力する。
【００６７】
そして、電界強度算出装置１は、ステップＳ１５において測定された遅延プロファイルとＤＵ比とを測定値記憶手段２０に記憶する（ステップＳ１６）。
【００６８】
続いて、電界強度算出装置１は、測定中継局選択手段２４によって、測定対象となるすべての送信局について電界強度及びＤＵ比を測定したかを判断する（ステップＳ１７）。そして、すべての送信局について測定が終了していない場合（ステップＳ１７でＮｏ）には、ステップＳ１３に戻って、電界強度算出装置１が測定チャンネル入力手段２２によって、外部から測定対象とする物理チャンネルの情報を入力する動作以降の動作を行う。
【００６９】
一方、すべての送信局について測定された場合（ステップＳ１７でＹｅｓ）には、電界強度算出装置１は、中継局電界強度算出手段２１によって、ステップＳ１６において測定値記憶手段２０に記憶された電界強度とＤＵ比とを読み出し、測定対象となる中継局からの信号の電界強度（中継局電界強度）を算出する（ステップＳ１８；送信局電界強度算出ステップ）。
【００７０】
そして、電界強度算出装置１は、映像表示手段２６によって、ステップＳ１８において算出された算出結果を表示可能な出力形式に変換して、外部に接続された図示しない表示装置へ出力して（ステップＳ１９）、動作を終了する。
【図面の簡単な説明】
【００７１】
【図１】本発明における電界強度算出装置の構成を示したブロック図である。
【図２】ＳＦＮの環境下において、２つの中継局から送信される電波を受信したアンテナによって得られ、本発明における電界強度算出装置に入力されるＯＦＤＭ信号を説明するための説明図であり、（ａ）は、ＳＦＮ環境下において、アンテナによって受信される２つの中継局からの電波を説明するための説明図、（ｂ）は、アンテナによって受信されたＯＦＤＭ信号のスペクトルと、当該ＯＦＤＭ信号に含まれる各々の中継局からの電波の信号のスペクトルを模式的に示す模式図である。
【図３】本発明における電界強度算出装置の遅延プロファイル測定手段が２つの中継局からの信号のＤＵ比を測定する方法を説明するための説明図であり、（ａ）は、２つの中継局と、アンテナとの配置を模式的に示す模式図、（ｂ）は、アンテナによって受信される信号の遅延プロファイルの例を示すグラフである。
【図４】本発明における電界強度算出装置によって測定された２つの中継局からの信号の中継局電界強度と、アンテナによって受信される信号の電界強度及びＤＵ比と、アンテナの向きとを模式的に示す模式図であり、（ａ）は、アンテナを中継局ＩAに向けた状態を示す模式図、（ｂ）は、アンテナを中継局ＩBに向けた状態を示す模式図である。
【図５】本発明における電界強度算出装置によってユーザに提示される、中継局電界強度の算出に必要となる情報を登録して算出結果を表示するための画面の一例を示す模式図である。
【図６】本発明における電界強度算出装置が、各中継局からの信号の中継局電界強度を算出する動作を示したフローチャートである。
【符号の説明】
【００７２】
１      電界強度算出装置
１０    バンドパスフィルタ
１１    高周波増幅手段
１２    選局手段
１３    中間周波変換手段
１４    中間周波増幅手段
１５    バンドパスフィルタ
１６    検波手段
１７    受信電界強度測定手段
１８    Ａ／Ｄ変換手段
１９    遅延プロファイル測定手段（ＤＵ比測定手段）
２０    測定値記憶手段
２１    中継局電界強度算出手段（送信局電界強度算出手段）
２２    測定チャンネル入力手段
２３    送信諸元記憶手段
２４    測定中継局選択手段
２５    測定地点情報入力手段
２６    映像表示手段
【図１】
2007006112.tif 000010
【図２】
2007006112.tif 000011
【図３】
2007006112.tif 000012
【図４】
2007006112.tif 000013
【図５】
2007006112.tif 000014
【図６】
2007006112.tif 000015